(57)【要約】【課題】発光源が配置されている領域以外においても透明プレートにある案内部を介して発光させることを可能としたパチンコ機を提供する。【解決手段】透明遊技盤６の背面側に画像表示装置４１、照明装置４２、４３等を配置するとともに、パチンコ機１の奥行き方向において透明遊技盤６と画像表示装置４１や照明装置４２、４３との間であって、且つ透明遊技盤６を正面から見て画像表示装置４１や照明装置４２、４３が配置されている領域以外の領域に透明部材により成形された透明プレート７を配置し、更に、透明プレート７の前面には複数の凹部６１を形成し、透明プレート７の側面に対向して配置されたＬＥＤ６３から透明プレート７内へと入射された光を、凹部６１によって遊技者側へと案内するように構成する。【選択図】図６
2010246724.tif 000002
【特許請求の範囲】
【請求項１】
パチンコ球を発射するパチンコ球発射装置と、
前記パチンコ球発射装置により発射されたパチンコ球を転動させる遊技領域と、
前面に前記遊技領域を有するとともに、前記遊技領域内に透明部材により形成されて背後が透視可能な透明領域を備えた遊技盤と、
前記遊技盤の背後に配置され、前記透明領域を通して遊技者側から視認可能とされた第１発光源と、
透明部材により形成され、前記遊技盤の前記透明領域の背後において前記遊技盤を正面から見て前記第１発光源の周囲で且つ前記第１発光源と重ならない位置に配置された透明プレートと、
前記透明プレートの側面に対向して配置され、前記透明プレートの側面から前記透明プレート内へと光を入射させる第２発光源と、を有し、
前記透明プレートは、前記第２発光源によって前記透明プレート内に入射された光を遊技者側へと案内する案内部を有することを特徴とするパチンコ機。
【発明の詳細な説明】
【技術分野】
【０００１】
本発明は、遊技盤に透明領域を備えたパチンコ機に関する。
【背景技術】
【０００２】
従来より、遊技領域に設けられ、複数の識別図柄や演出画像を表示する図柄表示装置を備えたパチンコ機やパチスロ機等の遊技機に関して種々提案されている。このような図柄表示装置では、識別図柄の組合せに従って大当りの有無を遊技者に報知したり、内部抽選結果に基づく各種演出画像を表示させることによって、遊技機における遊技性を多様化させている。更に、近年では、上記図柄表示装置に加えてＬＥＤやランプ等の照明器具を備えた照明装置を遊技領域に設けられていることが多くなっている。このような照明装置が備える照明器具は、図柄表示装置の表示内容とリンクして発光したり、大当りとなったことを遊技者に報知する際に発光される。
【０００３】
そして、近年、上記図柄表示装置が大型化する傾向があり、図柄表示装置の大型化に伴って遊技球が転動する遊技領域が狭くなり、遊技球の転動による遊技性が低下する問題があった。また、ＬＥＤやランプ等の照明装置についても大型化や配置数の増加傾向があり、同じく遊技領域が狭くなる問題があった。そこで、遊技盤を透明部材により形成し、その透明遊技盤に釘や入賞口等を設けて遊技領域とすると共に、透明遊技盤の背後に図柄表示装置や照明装置等の発光源を備えた発光装置を配置することが提案されている（例えば、特開２００８−２２９１２８号公報参照）。その結果、広い遊技領域を確保することが可能となるとともに、透明な遊技盤を通して遊技領域内の広い領域で演出画像を表示することが可能となる。また、大型の照明装置についても多数配置することが可能となる。
【先行技術文献】
【特許文献】
【０００４】
【特許文献１】特開２００８−２２９１２８号公報（第４頁、第５頁、図７）
【発明の概要】
【発明が解決しようとする課題】
【０００５】
しかしながら、上記特許文献１に記載された技術のように、透明遊技盤の背後に図柄表示装置や照明装置等の発光源を備えた発光装置を配置することとすると、発光装置が配置されている領域以外の領域において、遊技領域が暗くなるという問題があった。一方で、透明遊技盤の全ての領域に対して発光装置を配置することは、遊技盤背後のスペースの都合上困難な場合も多かった。
【０００６】
そこで、本発明は、遊技盤が備える透明領域の一部の背後領域のみに対してＬＣＤ、ＬＥＤ、ランプ等の発光源を備えた発光装置を配置した場合であっても、発光源が配置されている領域以外の領域を透明プレートにある案内部を介して発光させることが可能となり、また、遊技盤の背後のスペースを有効的に活用することが可能となったパチンコ機を提案する。
【課題を解決するための手段】
【０００７】
前記目的を達成するため請求項１に係るパチンコ機は、パチンコ球を発射するパチンコ球発射装置と、パチンコ球発射装置により発射されたパチンコ球を転動させる遊技領域と、前面に遊技領域を有するとともに、遊技領域内に透明部材により形成されて背後が透視可能な透明領域を備えた遊技盤と、遊技盤の背後に配置され、透明領域を通して遊技者側から視認可能とされた第１発光源と、透明部材により形成され、遊技盤の透明領域の背後において遊技盤を正面から見て第１発光源の周囲で且つ第１発光源と重ならない位置に配置された透明プレートと、透明プレートの側面に対向して配置され、透明プレートの側面から透明プレート内へと光を入射させる第２発光源と、を有し、透明プレートは、第２発光源によって透明プレート内に入射された光を遊技者側へと案内する案内部を有する。
尚、発光源としては、ＬＣＤ、ＬＥＤ、ランプ等を含む。
【０００８】
前記請求項１に係るパチンコ機によれば、遊技盤が備える透明領域の一部の背後領域のみに対してＬＣＤ、ＬＥＤ、ランプ等の発光源を備えた発光装置を配置した場合であっても、発光源が配置されている領域以外の領域を透明プレートにある案内部を介して発光させることが可能となる。そして、遊技盤の背後に配置する発光装置の数を抑えつつ、遊技領域内の広いエリアを用いた発光による各種予告、演出を行うことができ、また、遊技盤の背後のスペースを有効的に活用することが可能となる。
また、透明プレートを第１発光源の周囲で且つ第１発光源と重ならない位置に配置するので、第１発光源から発光される光の方向が透明プレートを通過することによって本来意図する方向と異なる方向へと変更されることを防止できる。また、特に遊技領域内において暗く認識され易い領域である第１発光源の周囲の領域を、透明プレートを介して明るくすることが可能となる。
【図面の簡単な説明】
【０００９】
【図１】本実施形態に係るパチンコ機全体を示した正面側斜視図である。
【図２】同パチンコ機の透明遊技盤を示す正面図である。
【図３】図２の線Ａ−Ａで透明遊技盤を切断した矢視断面図である。
【図４】同パチンコ機の透明遊技盤及び透明プレートを示す正面図である。
【図５】同パチンコ機の透明遊技盤の開口部付近を拡大して背面側から示した拡大図である。
【図６】図５の線Ｂ−Ｂで透明遊技盤及び透明プレートを切断した矢視断面図である。
【図７】透明プレートに形成された案内部による光の案内態様を示した説明図である。
【発明を実施するための形態】
【００１０】
以下、本発明に係るパチンコ機について具体化した一実施形態について図面を参照して詳細に説明する。先ず、本実施形態に係るパチンコ機１の概略構成について図１に基づき説明する。図１は本実施形態に係るパチンコ機全体を示した正面側斜視図である。
【００１１】
図１に示すように、パチンコ機１は、縦長の方形状に形成された機体の外郭を為す外枠２と、外枠２の内側に取り付けられた中枠３と、中枠３に開閉可能に設けられている額縁状に形成されたガラス扉枠４とで構成される。また、中枠３は、外枠２に対して開閉自在に設置される前面枠（図示せず）と、機構部品等が取り付けられる機構板（図示せず）と、それらに取り付けられる種々の部品（後述する透明遊技盤６等を除く）とを含む構造体である。更に、この中枠３の前面枠には、後述する遊技領域５が前面に形成された透明部材からなる透明遊技盤６（図２参照）や後述の透明プレート７（図４参照）が着脱自在に組み付けられている。一方、ガラス扉枠４の背面において、中枠３の一部を構成する機構板には、電源ユニット（図示せず）や各種制御基板が収納された基板ボックス（図示せず）やスピーカ（図示せず）などの部品が取り付けられている。そして、透明遊技盤６の前面に設けられた遊技領域５は、ガラス扉枠４によって保持されているガラス板を通して遊技者に視認可能となっている。
【００１２】
また、ガラス扉枠４の下部表面には発射球貯留皿（上皿）１０がある。発射球貯留皿１０の下部には、発射球貯留皿１０に収容しきれない遊技球を貯留する余剰球受皿（下皿）１１と遊技球を発射する操作ハンドル１２が設けられている。そして、操作ハンドル１２に対して回動可能に装着された操作レバー１３を遊技者が回動操作することにより、中枠３に設けられた発射球貯留皿１０に貯留されている遊技球が、図示しない球送り機構を介して発射装置１４に送られた後、遊技領域５に向けて発射される。
【００１３】
続いて、中枠３に組み付けられている透明遊技盤６について、図２及び図３に基づいて説明する。図２はパチンコ機の透明遊技盤を示した正面図である。図３は図２の線Ａ−Ａで透明遊技盤６を切断した矢視断面図である。
透明遊技盤６は、アクリル板等の透明性を有する部材で形成され、遊技者から背面側が透視可能な透明領域を備える。尚、本実施例では透明遊技盤６全体を透明領域とする。また、図２に示すように、透明遊技盤６は、外周端部付近に、円弧状の外レール２１、逆流防止弁２２及び内レール２３が取り付けられている。これらの外レール２１、逆流防止弁２２及び内レール２３によって囲まれた円形状の領域が遊技領域５となる。そして、遊技領域５内には、釘や後述の各種役物が配置されている。そして、逆流防止弁２２で仕切られた放出口２４から飛び出したパチンコ球は、自重落下をするとともに釘や各種役物と接触して遊技領域５内を転動する。
【００１４】
また、遊技領域５には、遊技領域５の中心部を基準として、通過ゲート（スルー・チャッカー）２５、特別図柄始動口（スタート・チャッカー）２６等が配設されており、この特別図柄始動口２６の下方には、遊技領域５の下端部付近に位置してアタッカー２７が配置されている。また、特別図柄始動口２６には、パチンコ球の入賞を検出する始動口スイッチ（図示せず）が設けられ、パチンコ球の入賞を検出することで後述の画像表示装置４１において識別図柄の変動が開始される。
【００１５】
また、アタッカー２７には、開閉扉２８が設けられており、当該開閉扉２８が開放又は閉塞することによって開口又は閉口するようになっている。開閉扉２８の開放時には、開閉扉２８上に落下した遊技球が開閉扉２８に案内されてアタッカー２７へ入賞する。
【００１６】
また、遊技領域５には、風車２９や、遊技領域５内を自重落下するパチンコ球を所定の経路に誘導する多数の遊技釘３０が設けられている。パチンコ球は、風車２９や遊技釘３０等により特別図柄始動口２６の近傍に案内される。なお、透明遊技盤６の中央下方には、透明遊技盤６の裏面側通路と前面側通路とにパチンコ球の通路が設けられたステージを設けてもよい。ステージ上に案内されたパチンコ球は、特別図柄始動口２６に入賞しやすくなる。
【００１７】
更に、透明遊技盤６の最下位置には、外れ球を透明遊技盤６の裏側へ排出するアウト口３１が設けられている。
【００１８】
また、透明遊技盤６の中央部には、後述の画像表示装置４１の周囲を囲うように飾り部材３２が設置されている。また、飾り部材３２の内側の底面にはパチンコ球を転動させるステージ３３が形成されている。
【００１９】
次に、パチンコ機１に配置された発光装置について説明する。尚、発光装置はＬＣＤ、ＬＥＤ、ランプ等の発光源を備えた装置であり、本実施形態のパチンコ機１は発光装置として画像表示装置４１、照明装置４２、４３等を備える。
【００２０】
ここで、画像表示装置４１は、発光源としてＬＣＤを備え、図３に示すように透明遊技盤６の中央に開設された開口部４４の背面側に配設されている。そして、画像表示装置４１には、遊技の進行に従ってキャラクタの画像や識別図柄、普通図柄等を表示し、パチンコ機１の内部抽選の抽選結果（例えば、大当りやリーチはずれ等）を遊技者に対して報知する。更に、所定時間以上入賞口やアウト口３１にパチンコ球が入賞しない場合には、デモ画面を表示させる。
尚、本実施形態のパチンコ機１では、透明遊技盤６の開口部４４に対して画像表示装置４１を配設するように構成しているが、透明遊技盤６に開口部４４を形成せずに画像表示装置４１を透明遊技盤６の背面側に配置しても良い。その場合には、遊技者は透明遊技盤６を介して画像表示装置４１の表示内容が視認可能となる。
【００２１】
一方、照明装置４２、４３は、発光源としてＬＥＤ４５を備え、透明遊技盤６の背面側において、透明遊技盤６と一定の間隔を空けて配置される。ここで、照明装置４２、４３は図３に示すように、ＬＥＤ基板４６と、ＬＥＤ基板４６上に配置された複数のＬＥＤ４５と、ＬＥＤ４５の前面に配置されＬＥＤ４５から発光された光を拡散させて均一にするＬＥＤレンズ４７とから構成される。また、ＬＥＤレンズ４７はパチンコ機１と関係のある形状（例えば、パチンコ機１と関連する文字やキャラクタの形状）を備える。
そして、照明装置４２、４３は図示しないサブ統合制御基板に接続され、サブ統合制御基板から送信される制御信号に基づいてＬＥＤ４５を発光させる。その結果、照明装置４２、４３は、画像表示装置４１の表示内容とリンクして発光したり、大当りとなったことを遊技者に報知する際に発光する。尚、発光された光は、透明遊技盤６を介して視認可能となる。
【００２２】
また、前記した透明遊技盤６の背面側には、図３に示すように枠体５１が取り付けられている。そして、上述した画像表示装置４１は枠体５１の背面側に設置される。また、枠体５１の中央部には画像表示装置４１の表示画面に対応する位置に枠部５２が設けられている。枠部５２は、枠体５１の背面壁部５３からパチンコ機の前面側に突出して筒状に形成され、透明遊技盤６の開口部４４に対して嵌合する。従って、遊技者は開口部４４及び枠部５２を通して画像表示装置４１が視認可能となる。また、透明遊技盤６と枠体５１の背面壁部５３との間には、枠部５２の高さに相当する間隔の空間５４が形成される。そして、この空間５４内において上述した照明装置４２、４３や透明プレート７が設置される。
【００２３】
ここで、パチンコ機１の奥行き方向において透明遊技盤６と画像表示装置４１、照明装置４２、４３との間には透明プレート７が配置されている。また、透明プレート７は、透明遊技盤６を正面から見た場合に、画像表示装置４１や照明装置４２、４３の周囲で且つ画像表示装置４１や照明装置４２、４３と重ならない領域に配置されている。
【００２４】
以下に、透明プレート７について図３及び図４を用いて説明する。図４はパチンコ機１を構成する部材の内、透明プレート７と透明遊技盤６のみを抽出して示した正面図である。尚、図４においてはパチンコ機１に配置されている２枚の透明プレート７の内、左側に配置されている透明遊技盤６のみを示すが、右側に配置されている透明遊技盤６についても同様の構成を有する。
【００２５】
ここで、透明プレート７は、透明遊技盤６と同じくアクリル板等の透明性を有する部材で形成される。そして、透明プレート７は前記したようにパチンコ機１の奥行き方向において透明遊技盤６と画像表示装置４１、照明装置４２、４３との間であって、透明遊技盤６を正面から見た場合に、画像表示装置４１や照明装置４２、４３の周囲で且つ画像表示装置４１や照明装置４２、４３と重ならない領域に配置されている。
【００２６】
そして、透明プレート７の前面（即ち、透明遊技盤６と対向する面）には、複数の凹部６１が形成されている。ここで、凹部６１は大小様々なサイズの星型に形成されており、透明プレート７の表面の一部を削ることによって成形される。ここで、凹部６１は、後述するように透明プレート７の側面に対向して配置されたＬＥＤ等の光源から透明プレート７内へと入射された光を、遊技者側へと案内する案内部に相当する。即ち、透明プレート７内へと光が入射されると、透明プレート７において星型に形成された凹部６１が発光することとなる。また、凹部６１はＬＥＤ等の光源から透明プレート７内へと入射された光を、遊技者側と反対方向（即ち、枠体５１の背面壁部５３側）へも案内する。従って、空間５４において透明プレート７の背面側に照射対象物（人形など）を配置すると、その照射対象物に対して光を照射し、明るく照らすことが可能となる。
尚、透明プレート７による発光システムの詳細については後述する。
また、本実施形態では透明プレート７の前面に凹部６１を形成しているが、透明プレート７の後面（透明遊技盤６と対向する面と反対側の面）に凹部６１を形成しても良い。
【００２７】
次に、透明プレート７による発光システムについて図５乃至図７に基づいて説明する。図５は透明遊技盤６の開口部付近を拡大して背面側から示した拡大図である（但し、背面壁部５３については省略する）。図６は図５の線Ｂ−Ｂで透明遊技盤６及び透明プレート７を切断した矢視断面図である。図７は透明プレート７に形成された凹部６１による光の案内態様を示した説明図である。
【００２８】
図５及び図６に示すように、透明遊技盤６の開口部４４の周囲にある枠部５２の内側空間５４には、透明プレート７の側面６２に対向する位置に、発光源として複数のＬＥＤ６３が配置されている。また、複数のＬＥＤ６３はＬＥＤ基板６４上に配置され、ＬＥＤ基板６４は枠部５２の内側壁部に取り付けられている。更に、ＬＥＤ基板６４は図示しないサブ統合制御基板に接続されており、サブ統合制御基板から送信される制御信号に基づいてＬＥＤ６３が発光する。
【００２９】
そして、ＬＥＤ６３が発光すると、図７に示すように発光された光が、透明プレート７の側面６２から透明プレート７内へと入射される。そして、透明プレート７へと入射された光の一部が、凹部６１によって反射又は屈折し、パチンコ機１の前面側（即ち、遊技者側）と後面側（即ち、枠体５１の背面壁部５３側）へと案内される。尚、凹部６１によってパチンコ機１の前面側に案内された光は、透明遊技盤６を介して遊技者に視認され、その結果、凹部６１が発光しているように遊技者から認識される。一方、凹部６１によってパチンコ機１の後面側に案内された光は、空間５４において透明プレート７の背面側に配置された照射対象物（人形など）に照射される。その結果、透明プレート７の背面側に配置された照射対象物が明るく照らされる。
尚、ＬＥＤ６３は、例えば画像表示装置４１の表示内容とリンクして発光させたり、大当りとなったことを遊技者に報知する際に発光させる。
また、透明プレート７に形成された凹部６１を介して発光させることにより、通常のＬＥＤ等の発光源を用いて直接発光させる方法では実現できない多彩な発光を行うことが可能となる。また、凹部６１の形状を変化させることによって、その発光態様も様々に変化させることが可能となる。
【００３０】
以上説明したとおり、本実施形態に係るパチンコ機１によれば、透明遊技盤６の背面側に画像表示装置４１、照明装置４２、４３等を配置するとともに、パチンコ機１の奥行き方向において透明遊技盤６と画像表示装置４１、照明装置４２、４３との間であって、且つ透明遊技盤６を正面から見て画像表示装置４１や照明装置４２、４３が配置されている領域以外の領域に透明部材により成形された透明プレート７を配置し、更に、透明プレート７の前面には複数の凹部６１を形成し、透明プレート７の側面に対向して配置されたＬＥＤ６３から透明プレート７内へと入射された光を、凹部６１によって遊技者側へと案内するので、透明遊技盤６の一部の背後領域のみに対してＬＣＤ、ＬＥＤ、ランプ等の発光源を備えた発光装置を配置した場合であっても、それらの発光源が配置されている領域以外の領域を透明プレート７にある凹部６１を介して発光させることが可能となる。その結果、透明遊技盤６の背後に配置する発光装置の数を抑えつつ、遊技領域内の広いエリアを用いた発光による各種予告、演出を行うことができ、また、透明遊技盤６の背後のスペースを有効的に活用することが可能となる。
また、透明プレート７内に入射された光を遊技者側へと案内する案内部を、透明プレートの表面に形成された凹部６１により形成するので、ＬＥＤ６３らの光を反射又は屈折させる部材を別途透明プレート７に対して配置する必要なく、ＬＥＤ６３からの光を遊技者へ案内することが可能となる。
また、透明プレート７を画像表示装置４１及び照明装置４２、４３の周囲で且つ画像表示装置４１及び照明装置４２、４３と重ならない位置に配置するので、画像表示装置４１や照明装置４２、４３から発光される光の方向が透明プレート７を通過することによって本来意図する方向と異なる方向へと変更されることを防止できる。また、特に遊技領域内において暗く認識され易い領域である画像表示装置４１及び照明装置４２、４３の周囲の領域を、透明プレート７を介して明るくすることが可能となる。
【００３１】
尚、本発明は、上記実施形態に限定されるものではなく、本発明の要旨を逸脱しない範囲内で種々の改良、変形が可能であることは勿論である。
例えば、本実施形態では透明プレート７内に入射された光を遊技者側へと案内する案内部を、透明プレート７の表面の一部を削ることによって形成した凹部６１によって構成しているが、案内部の構成は上記した例に限られることはない。例えば、透明プレート７内に埋め込んだり、透明プレート７に取り付けた別の透明部材や反射部材により構成しても良い。
【００３２】
また、本実施形態では透明プレート７の側面６２に対向して配置する発光源としてＬＥＤ６３を使用しているが、ハロゲンランプ等の他の発光源を用いても良い。また、ＬＥＤ６３からの光を直接に透明プレート７内へと入射させるのではなく、導光管や反射板によって間接的に透明プレート７内へと入射させるように構成しても良い。
【００３３】
また、本実施形態ではＬＥＤ６３を、透明遊技盤６の開口部４４の周囲にある枠部５２の内側空間５４に配置している（図６参照）が、透明プレート７の側面６２に対向する位置であれば他の場所に配置しても良い。例えば、透明遊技盤６の外縁でも良いし、遊技領域５内に配置された飾り部材や役物の内部であっても良い。そして、遊技領域５内に配置された飾り部材や役物の内部にＬＥＤ６３を配置する場合には、透明遊技盤６における飾り部材や役物の取り付け位置に開口部を設け、ＬＥＤ６３を内部に備えた飾り部材や役物を透明遊技盤６の前面から開口部へ挿入する。それにより、ＬＥＤ６３を透明プレート７の側面６２に対向する位置へと配置する。
【００３４】
また、本実施形態では遊技盤の全体を透明部材で形成した透明遊技盤６を用いているが、遊技盤の遊技領域内の一部領域（透明領域）のみを透明部材で形成した遊技盤を用いても良い。その場合には、透明領域の背後に照明装置４２、４３や透明遊技盤６を配置するように構成する。
【符号の説明】
【００３５】
１…パチンコ機、５…遊技領域、６…透明遊技盤、７…透明プレート、４１…画像表示装置、４２，４３…照明装置、６１…凹部、６３…ＬＥＤ。
【図１】
2010246724.tif 000003
【図２】
2010246724.tif 000004
【図３】
2010246724.tif 000005
【図４】
2010246724.tif 000006
【図５】
2010246724.tif 000007
【図６】
2010246724.tif 000008
【図７】
2010246724.tif 000009